(57)【特許請求の範囲】
【請求項１】
前面に黒板面を備えた基板の裏面に矩形状周枠が配設されてなる工事用黒板の、前記矩形状周枠の左右枠杆の内側面に形成された軸受孔に支軸部を回動可能に嵌入して後方向に引出し可能に設けられ、その回動操作により矩形状周枠内に収まる収納位置と、後方向に引出されて工事用黒板の立ち姿勢を保持する引出し位置とに変換される支脚に適用されるものであって、
線材の上部を巻回してその巻回部を前記支脚の支軸部に外嵌するとともに、該線材の下端部を前記支脚に係合させることにより、該線材を支脚とともに回動可能に設け、前記巻回部から線材の上端を斜め上方に突出させて、前記支脚の引出し位置で前記基板の裏面に当接してその引出し量を規定する規定端としたことを特徴とする工事用黒板の支脚ストッパー。
【発明の詳細な説明】
【０００１】
【発明の属する技術分野】
本発明は、工事用黒板の支脚に適用されるストッパーに関する。
【０００２】
【従来の技術】
一般に工事用黒板は、所轄役所に提出する所定書類に添付する現場写真の撮影時に、工事名，工種，測点その他の所要事項を記載して、現場写真に写し込むために使用されている。かかる工事用黒板は、撮影時に立ち姿勢を保持させる必要があり、従来は現場にある柱やブロック等の適当な支持体に立て掛けてその撮影を行なっていた。ところが、単に適当な支持体に立て掛けただけでは不安定であり、また、現場に適当な支持体がない場合には撮影に支障を来すこともある。このため、近年、立ち姿勢を保持する支脚を裏面に取付けたものが一部で案出されている。
【０００３】
図８イは、従来の支脚の一例を示すものであって、これは、工事用黒板ａの裏面に上下方向の取付け杆ｂを固着し、該取付け杆ｂの側面を貫通させるようにして軸受孔ｃを形成する一方、一条の線材からなる支脚ｄの上端部をＬ形に曲成して支軸部ｅとし、該支軸部ｅを前記軸受孔ｃに側方から嵌入するとともに、その突出端にナットｆを螺着して緊締することにより、支脚ｄを回動可能に取付けたものであって、図８ロに示すように、使用時に支脚ｄを後方向に回動させて工事用黒板ａの立ち姿勢を保持させ、また、不使用時には工事用黒板ａに近接する側に回動させて収納し得るようになっている。
【０００４】
【発明が解決しようとする課題】
上記のような支脚ｄにあっては、ナットｆを強く締め付けることにより、支脚ｄの自由回動を規制して、回動位置の保持を行なわせている。ところが、支脚ｄの回動操作の繰り返しによってナットｆが緩み易く、該ナットｆが緩むと、その位置保持作用が得られなくなり、支脚ｄが所定の引出し角度を超えて自由に回動してしまう結果、工事用黒板ａが倒れてしまうという問題点がある。
【０００５】
本発明は、かかる従来の問題点を解消し得るようにした工事用黒板の支脚ストッパーの提供を目的とするものである。
【０００６】
【課題を解決するための手段】
本発明は、前面に黒板面を備えた基板の裏面に矩形状周枠が配設されてなる工事用黒板の、前記矩形状周枠の左右枠杆の内側面に形成された軸受孔に支軸部を回動可能に嵌入して後方向に引出し可能に設けられ、その回動操作により矩形状周枠内に収まる収納位置と、後方向に引出されて工事用黒板の立ち姿勢を保持する引出し位置とに変換される支脚に適用されるものであって、
線材の上部を巻回してその巻回部を前記支脚の支軸部に外嵌するとともに、該線材の下端部を前記支脚に係合させることにより、該線材を支脚とともに回動可能に設け、前記巻回部から線材の上端を斜め上方に突出させて、前記支脚の引出し位置で前記基板の裏面に当接してその引出し量を規定する規定端としたことを特徴とする工事用黒板の支脚ストッパーである。
【０００７】
かかる構成にあって、支脚を、後方向への回動操作により収納位置から引出し位置へ引出すと、該支脚とともにストッパーが回動し、その規定端が基板の裏面に当接して支脚のそれ以上の回動を阻止する。これにより  支脚の引出し量を制限することができ、必要以上に支脚が引出されることによる工事用黒板の転倒を防止することができる。
【０００８】
【発明の実施の形態】
本発明の一実施例を、図１〜図７について説明する。
１は、本発明を適用する工事用黒板を示す。該工事用黒板１は、チョーク，クレヨン等の筆記具で消去可能に筆記し得る黒板面２を前面に備えた矩形状の基板３と、該基板３の周縁を囲繞するようにしてその裏面に配設された矩形状周枠４とからなり、前記黒板面２には、「工事名，工種，測点」その他の所定文字と枠線とによって構成される所要事項記載欄５が設けられている。尚、工事用黒板１にあって、前記所要事項記載欄５は必ずしも予め設けておく必要はなく、黒板面２を無地状にしてもよい。また、矩形状周枠４の上部には、工事用黒板１の持ち運びに便利なように、コ字形に形成された把手１５が出没自在に取付けられている。
【０００９】
前記矩形状周枠４は、適宜の厚みと幅を有する型材からなる上下枠杆４ａ，４ａと左右枠杆４ｂ，４ｂとを矩形状に組み付けて構成されている。この左右枠杆４ｂ，４ｂの内側面には、その上部寄り位置に軸受孔６，６が左右一対に形成されており、該軸受孔６，６には、支脚７の支軸部８，８が回動可能に嵌入されている。
【００１０】
前記支脚７は、適宜のバネ性を有する一条の線材を略コ字形に曲成するとともに、その上端部をＬ形に曲成して左右に突出する支軸部８，８としたものである。該支脚７は、両支軸部８，８間の幅が前記左右枠杆４ｂ，４ｂ間の幅より広くなるように形成されており、これを押し縮めて軸受孔６，６に嵌入することにより、その弾性復元力によって支軸部８，８が軸受孔６，６から容易に抜けないようになっている。また、前記支軸部８，８の長さは、左右枠杆４ｂ，４ｂの各幅より長くなるように設定されており、図４に示すように、支軸部８，８を軸受孔６，６に嵌入し、各支軸部８，８の先端を前記弾性復元力を介して左右枠杆４ｂ，４ｂ内の対向壁面９に圧接させた状態において、各支軸部８の基端部８’が左右枠杆４ｂ，４ｂの外側に残るようにしており、該基端部８’に後述のストッパー１０の巻回部１２を外嵌し得るようになっている。
【００１１】
このように、左右枠杆４ｂ，４ｂの軸受孔６，６に支軸部８，８が回動可能に嵌入された支脚７は後方向に引出し可能であり、その回動操作によって、図３に示すように、矩形状周枠４内に収まる収納位置ｘと、後方向に引出されて工事用黒板１の立ち姿勢を保持する引出し位置ｙとに変換し得るようになっている。
【００１２】
次に、本発明の要部について説明する。
本発明にかかる支脚ストッパー１０は、前記支脚７の支軸部８，８部分に左右一対で配設されるものである。各支脚ストッパー１０は、図５に示すように、所定長さの一条の線材１１の上部を略一回強、縦巻状に巻回することにより、前記支脚７の支軸部８に外嵌し得る巻回部１２が形成されるとともに、該巻回部１２から線材１１の上端を斜め上方に突出させて規定端１３が設けられている。また、線材１１の下部は側方に屈曲され、かつその先端部分を略Ｕ形を呈するように水平に曲成することにより、前記支脚７の上下方向に延在する主杆部７ａに係合し得る係合部１４が形成されている。この略Ｕ形の係合部１４の開放端の幅は、主杆部７ａの外径より狭くなるように設けられており、該開放端からの主杆部７ａの抜け出しを防止し得るようになっている。
【００１３】
尚、図５に示した支脚ストッパー１０は、工事用黒板１の裏面視においてその左側に適用されるものであり、右側に適用される支脚ストッパー１０は、左右が逆の対称形に形成される。また、この支脚ストッパー１０を構成する線材１１は、外力によって容易に変形しないものであることが望ましく、その材質として適宜のバネ性を有するバネ鋼製線材が好適に用いられ得る。
【００１４】
前記支脚ストッパー１０を支脚７に装着するには、支脚７の支軸部８，８を左右枠杆４ｂ，４ｂの軸受孔６，６から外した状態で、図６イに示すように、まず、支脚７の支軸部８の先端を係合部１４内に差し通すようにして該係合部１４を支軸部８の先端から外嵌し、そのまま支軸部８の基端部８’を経て主杆部７ａまで移動させることにより、図６ロに示すように、係合部１４を主杆部７ａに係合させる。次に、巻回部１２を支軸部８の先端から外嵌して、図６ハに示すように、基端部８’まで移動させる。そして、この状態で両支軸部８，８を左右枠杆４ｂ，４ｂの軸受孔６，６に夫々嵌入することにより、図２，図４に示すような装着状態が得られる。
【００１５】
かかる構成にあって、支脚７を、図７イに示す収納位置から後方向へ回動させ、工事用黒板１の立ち姿勢を保持する引出し位置まで引出すと、巻回部１２が外嵌された支軸部８を中心にして支脚ストッパー１０が支脚７とともに回動し、図７ロに示すように、規定端１３が基板３の裏面に当接することとなり、支脚７のそれ以上の回動が阻止される。これにより支脚７の引出し量を制限するストッパー作用が得られ、必要以上に支脚７が引出されることによる工事用黒板１の転倒を防止することができる。ここで、前記規定端１３は、工事用黒板１の立ち姿勢を保持する支脚７の引出し位置で前記基板３の裏面に当接するように斜め上方への突出角度が設定されており、該支脚７の引出し量を規定し得るようなっている。
【００１６】
また、図７ロに示す状態から、支脚７を、前方向に回動させると、該支脚７の回動に伴なって支脚ストッパー１０も同方向に回動し、規定端１３が基板３の裏面から離れることとなり、そのストッパー作用を解除することができる。
【００１７】
【発明の効果】
本発明は上述のように、線材１１の上部を巻回してその巻回部１２を支脚７の支軸部８に外嵌するとともに、該線材１１の下端部を支脚７に係合させることにより、該線材１１を支脚７とともに回動可能に設け、前記巻回部１２から線材１１の上端を斜め上方に突出させて規定端１３とし、該規定端１３を支脚７の引出し位置で基板３の裏面に当接してその引出し量を規定するように構成した支脚ストッパー１０であるので、支脚７を、後方向への回動操作により収納位置から引出し位置へ引出すと、該支脚７とともにストッパー１０が回動し、その規定端１３が基板３の裏面に当接して支脚７のそれ以上の回動を阻止する。これにより  支脚７の引出し量を制限することができ、必要以上に支脚７が引出されることによる工事用黒板１の転倒を防止することができる。
【００１８】
また、本発明にかかる支脚ストッパー１０は、線材１１を曲成加工するだけで簡単に製作し得るので安価であり、また、支脚７への装着を簡単に行なうことができ、さらに支脚７の前後方向の回動操作によって、自動的にストッパー作用及びその解除作用が得られる等の優れた効果がある。
【図面の簡単な説明】
【図１】本発明に係る支脚ストッパーを適用した工事用黒板の正面図である。
【図２】同上の工事用黒板の背面図である。
【図３】同上の工事用黒板の支脚を引出した状態の側断面図である。
【図４】本発明に係る支脚ストッパーを装着した支脚の上端部分の拡大背面図である。
【図５】本発明に係る支脚ストッパーの外観斜視図である。
【図６】同上の支脚ストッパーの装着手順の説明図である。
【図７】同上の支脚ストッパーの作用説明図である。
【図８】イは、従来構成の工事用黒板の背面図、ロは、支脚を引出した状態の側断面図である。
【符号の説明】
１  工事用黒板
２  黒板面
３  基板
４  矩形状周枠
４ｂ  左右枠杆
６  軸受孔
７  支脚
８  支軸部
１０  支脚ストッパー
１１  線材
１２  巻回部
１３  規定端
ｘ  収納位置
ｙ  引出し位置
【図１】
0003984358.tif 000002
【図２】
0003984358.tif 000003
【図３】
0003984358.tif 000004
【図４】
0003984358.tif 000005
【図５】
0003984358.tif 000006
【図６】
0003984358.tif 000007
【図７】
0003984358.tif 000008
【図８】
0003984358.tif 000009